(57)【要約】      （修正有）【課題】スプリンクラーヘッドの作動により開放した主弁体の開放状態を維持可能な乾式流水検知装置の提供。【解決手段】本体１の内部が隔壁５によって一次側室６と二次側室７に分けられており、隔壁５に穿設された連通口８の上には主弁体９が着座され、主弁体９の連通口８と反対の側には制御室１０が形成されており、制御室内１０には流体が充填されており、制御室１０から外部へ通じる配管上に設置されたアクセラレーター３の内部には排出管１８につながる流路を閉止する弁体が設置されており、該弁体は二次側室７の圧力が減少することで開放され、アクセラレーター３の弁体の開放状態を維持可能なラッチ機構を設けた。【選択図】図２
2013013478.tif 000002
【特許請求の範囲】
【請求項１】
本体内部が隔壁によって一次側室と二次側室に分けられており、隔壁に穿設された連通口の上には主弁体が着座され、主弁体の連通口と反対の側には制御室が形成されており、制御室内には流体が充填されており、制御室から外部へ通じる配管上に設置されたアクセラレーター内部には排出管につながる流路を閉止する弁体が設置されており、該弁体は二次側室の圧力が減少することで開放され、アクセラレーターの弁体の開放状態を維持可能なラッチ機構を設けたことを特徴とする乾式流水検知装置。
【請求項２】
アクセラレーター内の弁体の一端はアクセラレーターの外部に突出して設けられており、ラッチ機構は弁体のアクセラレーターの外部側端の近傍に設置可能とした請求項１記載の乾式流水検知装置。
【発明の詳細な説明】
【技術分野】
【０００１】
本発明は、冬季に凍結のおそれのある寒冷地に設置される乾式消火設備に用いられる乾式流水検知装置に関するものである。
【背景技術】
【０００２】
従来の乾式流水検知装置としては、リフト弁構造のバルブによって構成されているものがある（例えば、特許文献１参照）。
【０００３】
図７に示す乾式流水検知装置の本体５１は内部が隔壁５２によって一次側室５３と二次側室５４に分けられており、隔壁５２に穿設された連通口５５の上には主弁体５６が着座している。連通口５５と着座している主弁体５６の反対側には制御室５７が形成されており、制御室５７には一次側室５３の流体が連通可能となっている。常時において一次側室５３および制御室５７には水が充填されており、二次側室５４には圧縮空気が充填されている。
【０００４】
制御室５７から外部へ通じる配管上にはアクセラレーター５８が設置されている。アクセラレーター５８内部は、上部空間５８Ａと下部空間５８Ｂが形成されており、上部空間５８Ａはダイアフラム５９により上室６０Ａと下室６０Ｂに仕切られている。ダイアフラム５９には小穴６１が設置されており、小穴によって下室６０Ｂと上室６０Ａとの流体の通過が可能である。
【０００５】
ダイアフラム５９にはロッド６２が設置されており、ロッド６２は下部空間５８Ａへ貫通して設置されている。ロッド６２の下部空間５８Ａ側の端には弁体６３が設置されている。弁体６３は常時において閉止しており、制御室５７と排水管６４との連通を阻止しているがロッド６２が下方へ移動すると開放状態となって制御室５７と排水管６４が連通可能となる。
【０００６】
二次側室５４に接続された図示しない二次側配管上のスプリンクラーヘッドが作動すると、二次側室５４内の圧縮空気は作動したスプリンクラーヘッドから抜け出て二次側室５４内は圧力が低下する。
【０００７】
二次側室５４と連通しているアクセラレーター５８の下室６０Ｂの圧力も低下する。下室６０Ｂが圧力低下したことで上室６０Ａも圧力が低下するが、小穴６１によって上室６０Ａの圧力は下室６０Ｂの圧力低下と比較してゆっくり下がるので、上室６０Ａの圧力が下室６０Ｂの圧力を上回り、ダイアフラム５９およびロッド６２は図中下方へ移動する。ロッド６２が下方に移動したことで弁体６３が開放して制御室５７内の水を排出管６４から放出させる。制御室５７内の水が放出したことで制御室５７内が減圧し、主弁体５６が開放して一次側室５３の水が二次側５４に流入する。
【先行技術文献】
【特許文献】
【０００８】
【特許文献１】特開２００６−８３８８７号公報
【特許文献２】特開２００３−３０５１３７号公報
【発明の概要】
【発明が解決しようとする課題】
【０００９】
上記の流水検知装置では制御室５７内の水を排出させて主弁体５６を開放したが、主弁体５６の開放後にアクセラレーター５８の下室５８Ａ内に流体が流れ込み、圧力が上昇して上室５８Ａと下室５８Ｂの圧力が同圧になると主弁体５６が閉じられ、それにより主弁体５６が閉止してしまう可能性がある。これを防止するために二次側室５４と下室６０Ｂの間には遮断弁６５が設置され、主弁体５６の開放後に下室６０Ｂへの流体の侵入を阻止可能に構成されているが、何らかの理由により遮断弁６５が作動しなかった場合には主弁体５６が閉止して作動したスプリンクラーヘッドへの給水が停止してしまうおそれがある。
【００１０】
そこで本発明では、上記問題に鑑み、スプリンクラーヘッドの作動により開放した主弁体の開放状態を維持可能な乾式流水検知装置の提供を目的としている。
【課題を解決するための手段】
【００１１】
上記の目的を達成するために、本発明は以下の乾式流水検知装置を提供する。
本体内部が隔壁によって一次側室と二次側室に分けられており、隔壁に穿設された連通口の上には主弁体が着座され、主弁体の連通口と反対の側には制御室が形成されており、制御室内には流体が充填されており、制御室から外部へ通じる配管上に設置されたアクセラレーター内部には排出管につながる流路を閉止する弁体が設置されており、該弁体は二次側室の圧力が減少することで開放され、アクセラレーターの弁体の開放状態を維持可能なラッチ機構を設けたことを特徴とする乾式流水検知装置である。
これによれば、アクセラレーター内の弁体の開放状態を維持可能であり、制御室内部の流体を継続して排出管へ流し続けることができるので主弁体の開放状態を維持可能とすることができる。
【００１２】
前記本発明については、アクセラレーター内の弁体の一端はアクセラレーターの外部に突出して設けられており、ラッチ機構は弁体のアクセラレーターの外部側端の近傍に設置可能である。
これによれば、ラッチによる係合状態の確認が目視により容易に可能となる。さらにラッチによる係合を解除する際においても容易に解除操作を行うことができる。
【発明の効果】
【００１３】
上記の乾式流水検知装置によれば、アクセラレーターの弁体がラッチにより開放状態を維持することで主弁体の作動後に制御室内の流体を継続的に排出することが可能となり、主弁体の開放状態を維持することが可能となる。
【図面の簡単な説明】
【００１４】
【図１】本発明の乾式流水検知装置が設置されたスプリンクラー設備の系統図
【図２】本発明の乾式流水検知装置の概要図
【図３】アクセラレーターの断面図
【図４】遮断弁の断面図
【図５】図２の作動状態図
【図６】図３の作動状態図
【図７】従来の乾式流水検知装置の概要図
【発明を実施するための最良の形態】
【００１５】
実施形態（図１〜図６）
本発明の乾式流水検知装置は、本体１、圧力スイッチ２、アクセラレーター３、遮断弁４から構成される。
【００１６】
本体１はリフト弁構造をしており、内部が隔壁５によって一次側室６と二次側室７に分けられている。一次側室６は一次側配管と接続されており、一次側配管Ｉは水源ＷやポンプＰ等の給水装置と接続している。二次側室７は二次側配管ＩＩが接続され、二次側配管ＩＩ上にはスプリンクラーヘッドＳＨや、二次側配管ＩＩ内に圧縮空気を導入するコンプレッサーＣが設置されている。
【００１７】
隔壁５には一次側室６と二次側室７を連通する連通口８が穿設されており、連通口８の二次側室７には有底円筒形状の主弁体９が設置されており、主弁体９の底部９Ａが連通口８の縁部に着座している。主弁体９が着座している連通口８の縁部には穴が穿設されており、該穴は隔壁５内の環状の空間である中間室８Ａと連通している。中間室８Ａは後述の圧力スイッチ２と連通している。
【００１８】
主弁体９の内側と本体１の内壁によって制御室１０が形成される。制御室１０はオリフィス１０Ａによって一次側室６と連通しており、制御室１０内には水が充填されている。主弁体９が閉止状態にあるとき制御室１０内の圧力と一次側室６内の圧力は等しい。
【００１９】
圧力スイッチ２は、本体１の外部に設置され、配管１１Ｃにより前述の中間室８Ａと接続されている。圧力スイッチ２は主弁体９が開放した際に中間室８Ａを通じて圧力スイッチ２へ流入してきた水の圧力によって作動するスイッチである。圧力スイッチ２の信号により乾式流水検知装置が作動したことが図示しない受信盤に出力される。
【００２０】
アクセラレーター３は、制御室１０から外部に通じる配管１１Ａに設置されている。アクセラレーター３内部は、上部空間１２Ａと下部空間１２Ｂが形成されており、上部空間１２Ａはダイアフラム１３により上室１４Ａと下室１４Ｂに仕切られている。上部空間の下室１４Ｂは二次側室７と配管１１Ｂによって接続されており配管１１Ｂ上には後述する遮断弁４が設置されている。下部空間１２Ｂには前述の配管１１Ａが接続されている。
【００２１】
ダイアフラム１３の中心部には柱部１５が設置されており、柱部１５には小穴１５Ａが穿設されている。上部空間１２Ａ内の流体は小穴１５Ａによって上室１４Ａと下室１４Ｂとの間を通過可能であり、常時において上室１４Ａと下室１４Ｂの圧力は等しい。柱部１５の小穴１５Ａより下側は下部空間１２Ｂへ貫通した柱部１５が設置されている。
【００２２】
柱部１５の下端には弁体１６が設置されている。弁体１６は下部空間１２Ｂの連通口１７を開閉するものであり、常時において連通口１７は弁体１６によって閉止しており、制御室１０と下部空間１２Ｂに接続された排出管１８との連通を阻止しているが、柱部１５が下方へ移動すると開放状態となって制御室１０と排出管１８が連通可能となる。
【００２３】
弁体１６には、弁体１６を連通口１７側に付勢するバネ１６Ａが設置されている。また弁体１６の連通口１７に接する側と反対の側にはアクセラレーター３の外部に突出したロッド部１６Ｂが形成されている。
【００２４】
アクセラレーター３のロッド部１６Ｂ近傍には、ラッチ１９が設置されている。ラッチ１９は弁体１６が閉止状態のときは係止解除状態であるが、弁体１６が開放してロッド部１６Ｂが図中下方に移動した際に係止状態となる。
【００２５】
ラッチ１９がアクセラレーター３の外側に設置されているので、ラッチ１９の係止状態を目視によって容易に確認することができる。またラッチ１９による係止を解除する際にも容易に解除操作を行うことができる。
【００２６】
遮断弁４は前述のように配管１１Ｂ上に設置されており、主弁体９が開放した後に流路を閉じる構成となっている。遮断弁Ａの具体的な構成は図４に示すように本体３０内部がダイアフラム３１によって上室３２と下室３３に分けられている。上室３２は二次側室７と通じた配管１１Ｂと接続しており、下室３３はアクセラレーター３の上室１２Ａと連通した配管１１Ｃに接続している。
【００２７】
ダイアフラム３１には弁体３４が設置されている。常時において弁体３４は下室３３側の弁座３３Ａに着座している。弁体の上室３２側には３２Ａが形成され、弁体３４が上室３２側に移動した際に弁座３２Ａへ着座する。
【００２８】
続いて本発明の乾式流水検知装置の動作について説明する。
【００２９】
上記の乾式流水検知装置は、一次側室６および一次側室６と連通している制御室１０内には水が充填されている。二次側室７およびアクセラレーター３の上部空間１２Ａ内にはコンプレッサーＣからの圧縮空気が充填されている。
【００３０】
火災が発生すると、二次側配管に接続されているスプリンクラーヘッドが作動する。スプリンクラーヘッド４が作動すると、二次側配管内に充填されている圧縮空気が作動したスプリンクラーより放出され、二次側配管内の圧力は急激に降下する。
【００３１】
二次側配管内部の圧力が降下したことでアクセラレーター３内の下室１４Ｂの圧力も同様に降下する。しかしながら上室１４Ａ内の圧力は小穴１５Ａによって少しずつ降下するので、次第に上室１４Ａと下室１４Ｂとの圧力差が大きくなり、上室１４Ａ内の圧力が下室１４Ｂの圧力を上回るので、上室１４Ａの圧力によってダイアフラム１３は下室１４Ｂ側に変形して柱部１５を下方に移動させる。
【００３２】
柱部１５が下方に移動したことで弁体１６も下方へ移動し、連通口１７が開放される。連通口１７の開放によって下部空間１２Ｂに接続されている配管１１Ａと排水管１８が連通可能となり、制御室１０内の水が配管１１Ａを通って排出管１８から外部に放出される（図６参照）。
【００３３】
その際、弁体１６のロッド部１６Ａがラッチ１９と係合して、この係合状態が維持され弁体１６を開放状態に維持し、制御室１０内に流入してきた水を排出管１８から継続して排出することで主弁体９の開放状態を維持する。
【００３４】
制御室１０内の水は図２に示すように、オリフィス１０Ａによって一次側室６から供給されるのでオリフィス１０Ａにより制御室１０に流入する水量よりも配管１１Ａから排出される水量の方が上回るので制御室１０内は急速に減圧され、主弁体９は制御室１０の方向へ移動して連通口８が開放する。
【００３５】
連通口８の開放によって、中間室８Ａ内に一次側室６の水が流入して圧力スイッチ２が作動するとともに、一次側室６内の水が二次側室７側に流れて二次側室７に接続された二次側配管のスプリンクラーヘッドに水が送られる。スプリンクラーヘッドから水が室内に散布され、火災の抑制・消火が行われる。
【符号の説明】
【００３６】
１  本体  
２  圧力スイッチ  
３  アクセラレーター  
４  遮断弁  
６  一次側室  
５  二次側室  
８  連通口  
８Ａ  中間室  
９  主弁体  
１０  制御室  
１１Ａ、１１Ｂ、１１Ｃ  配管  
１３  ダイアフラム  
１６  弁体  
１８  排出管  
１９  ラッチ  
【図１】
2013013478.tif 000003
【図２】
2013013478.tif 000004
【図３】
2013013478.tif 000005
【図４】
2013013478.tif 000006
【図５】
2013013478.tif 000007
【図６】
2013013478.tif 000008
【図７】
2013013478.tif 000009